(57)【要約】【課題】必要帯域の異なるデータが効率よく伝送できるネットワークシステムを提供する。【解決手段】各コアスイッチ間を広帯域伝送路と狭帯域伝送路とで二重に接続し、コアスイッチ６ａ，６ｂ，６ｊでは、直接接続されたエッジスイッチ２ａから受信したパケットに当該パケットの必要帯域を示す帯域タグを付加して帯域タグ付きパケットを他のコアスイッチに中継し、他のコアスイッチ６ｋから受信して直接接続されたエッジスイッチ２ｂに中継する帯域タグ付きパケットは帯域タグを外したパケットを当該エッジスイッチ２ｂに中継し、他のコアスイッチ６ｉから受信してさらに他のコアスイッチ６ｋに中継する帯域タグ付きパケットを中継する伝送路をその帯域タグが示す必要帯域に応じて広帯域伝送路７か狭帯域伝送路８に振り分ける。【選択図】図１
2008054101.tif 000002
【特許請求の範囲】
【請求項１】
広域ネットワーク内のエッジスイッチとＬＡＮ内のスイッチとが伝送路で結ばれることにより広域ネットワークとＬＡＮとが接続され、上記エッジスイッチでは、ＬＡＮから受信したパケットは当該ＬＡＮが属するグループを示すタグ（以下、グループタグという）を付加してそのグループタグ付きパケットを広域ネットワーク内に送信すると共に、広域ネットワーク内から受信したグループタグ付きパケットはグループタグを外してそのパケットを該当するグループに属するＬＡＮに送信し、上記広域ネットワーク内には上記グループタグ付きパケットを中継する複数のコアスイッチが存在するネットワークシステムにおいて、各コアスイッチとコアスイッチの間を広帯域伝送路と狭帯域伝送路とで二重に接続し、上記コアスイッチでは、直接接続されたエッジスイッチから受信したグループタグ付きパケットは当該パケットの必要帯域を示すタグ（以下、帯域タグという）を付加してそのグループタグ及び帯域タグ付きパケットを他のコアスイッチに中継し、他のコアスイッチから受信して直接接続されたエッジスイッチに中継するグループタグ及び帯域タグ付きパケットは帯域タグを外してそのグループタグ付きパケットを当該エッジスイッチに中継し、他のコアスイッチから受信してさらに他のコアスイッチに中継するグループタグ及び帯域タグ付きパケットを中継する伝送路をその帯域タグが示す必要帯域に応じて広帯域伝送路か狭帯域伝送路に振り分けるようにしたことを特徴とするネットワークシステム。
【請求項２】
上記コアスイッチは、パケット中のデータ欄に格納されているデータを参照して必要帯域を判定することを特徴とする請求項１記載のネットワークシステム。
【請求項３】
上記必要帯域は、パケット中のデータ欄に格納されているデータが音声、動画像等のリアルタイム性を必要とするデータを含むとき、広帯域と判定することを特徴とする請求項２記載のネットワークシステム。
【発明の詳細な説明】
【技術分野】
【０００１】
本発明は、広域ネットワークを介してＬＡＮ間通信を行うネットワークシステムに係り、必要帯域の異なるデータが効率よく伝送できるネットワークシステムに関する。
【背景技術】
【０００２】
広域ネットワークは、遠隔のＬＡＮ同士を通信可能にするネットワークであり、同じ企業の場所が異なる事業所間での通信などに利用され、低コストで広帯域であることから、広く普及している。ＬＡＮには、例えば、イーサネット（登録商標）が使用される。イーサネットによるＬＡＮ間通信を行う広域ネットワークを広域イーサネットと呼ぶ。
【０００３】
広域イーサネットでは、多くの異なるユーザ（企業）が同じ伝送路を共有するため、データの伝送単位であるパケットを互いに分離する技術が必要となる。その技術の一つがＶＭＡＮ（Ｖｉｒｔｕａｌ  Ｍｅｔｒｏ  Ａｒｅａ  Ｎｅｔｗｏｒｋ）方式である。ＶＭＡＮでは、同一ユーザをグループとし、各パケットにグループを識別するためのＶＭＡＮタグを付加する。これらの技術により、ＬＡＮの技術であるイーサネット技術を流用しながら、ユーザ間のセキュリティを確保することができる。
【０００４】
具体的には、図６に示されるように、広域ネットワーク１内のエッジスイッチ２ａ，２ｂとＬＡＮ３ａ，３ｂ内のスイッチ４ａ，４ｂとがそれぞれ伝送路５で結ばれることにより、広域ネットワーク１とＬＡＮ３ａ，３ｂとが接続され、エッジスイッチ２ａ，２ｂでは、ＬＡＮ３ａ，３ｂから受信したパケットに当該ＬＡＮ３ａ，３ｂが属するグループを示すグループタグを付加してそのグループタグ付きパケットを広域ネットワーク１に送信すると共に、広域ネットワーク１から受信したグループタグ付きパケットはグループタグを外したパケットを該当するグループに属するＬＡＮに送信するようになっている。なお、同一グループ（例えば、企業Ａのグループ）に属するＬＡＮは、図示した２個以外にいくつあってもよい。
【０００５】
広域ネットワーク１内にはグループタグ付きパケットをそのまま中継する複数のコアスイッチ６６ａ，６６ｂが存在する。コアスイッチ６６ａとコアスイッチ６６ｂは１本の伝送路６８で接続されている。なお、図では、広域ネットワーク１の入口となるエッジスイッチ２ａから出口となるエッジスイッチ２ｂまでの間に、コアスイッチが２つしかないが、実際には途中にコアスイッチがいくつあってもよい。
【０００６】
ＬＡＮ３ａ，３ｂ内のスイッチ４ａ，４ｂには、適宜に端末９が接続される。
【０００７】
図６の構成により、同一グループに属するＬＡＮ３ａ，３ｂの端末９同士の間では、特に広域ネットワーク１が介在することを意識することなく、同じＬＡＮ内でと同じようにデータをやり取りすることができ、企業Ｂなどの他のグループにデータが漏れることもないし、他のグループのデータが紛れ込んでくることもない。
【０００８】
企業内ネットワークにおいては、様々のデータがやり取りされている。従って図６のように広域ネットワーク１を介して複数の事業所のＬＡＮ３ａ，３ｂが企業内ネットワークを形成している場合、広域ネットワーク１内の伝送路は様々のデータを格納したパケットを伝送することになる。
【０００９】
ここで様々のデータとは、音声のデータ、ＴＶ会議の動画像や音声のデータ、文書のデータ、静止画像のデータなどである。音声や動画像のデータはリアルタイム性を必要とするデータである。リアルタイム性とは、送信元を出たデータが可及的迅速に宛先に届くことである。
【００１０】
リアルタイム性を必要とするデータは、それ以外のデータよりも優先的に伝送されることが望ましく、そのニーズはＶｏＩＰの普及により顕著になっている。
【００１１】
従来は、ユーザ側のスイッチングハブ、すなわち図６のＬＡＮ３ａ内のスイッチ４ａにおいて、ＬＡＮ３ａ内の端末９から受信したパケットに当該パケットの優先度を示す優先度タグ（図示せず）を付加してその優先度タグ付きパケットを広域ネットワーク１の入口となるエッジスイッチ２ａに送信している。この優先度タグ付きパケットは、前述のようにエッジスイッチ２ａにおいてグループタグが付加され、グループタグ及び優先度タグ付きパケットとしてコアスイッチ６６ａ，６６ｂ間を中継される。出口となるエッジスイッチ２ｂからグループタグを外された優先度タグ付きパケットがＬＡＮ３ｂ内のスイッチ４ｂに到着すると、スイッチ４ｂは優先度タグが示す優先度に応じてパケット中継の優先制御を行う。
【００１２】
優先制御とは、複数のパケットが到着するとき、スイッチ内の転送待ちバッファから優先度の高いパケットを優先的に早く取り出す制御のことである。
【００１３】
このように、広域ネットワーク１を介した同一グループのＬＡＮ３ａ，３ｂの間で、送信側のＬＡＮ３ａで付加した優先度タグでもって、受信側のＬＡＮ３ｂにおける優先制御を行うことができるので、企業内ネットワークにおいて音声や動画像のデータ格納したパケットを可及的迅速に伝送することができる。
【００１４】
【特許文献１】特開２００４−１５９０１９号公報
【特許文献２】特開２００４−０８８１６０号公報
【発明の開示】
【発明が解決しようとする課題】
【００１５】
しかしながら、広域ネットワーク１の中には伝送帯域に関して様々な仕様を持つコアスイッチが存在している。すなわち、コアスイッチは複数のポートを持つが、全てのポートが広帯域伝送路に接続可能なコアスイッチ、全てのポートが狭帯域伝送路にしか接続できないコアスイッチ、一部のポートが広帯域伝送路に接続可能で他のポートは狭帯域伝送路にしか接続できないコアスイッチなどがある。
【００１６】
また、コアスイッチとコアスイッチとの間は、１本の伝送路で接続してもよいし、２本以上の伝送路で多重に接続してもよい。従って、コアスイッチとコアスイッチがただ１本の狭帯域伝送路で接続されている場合もあり、二重に接続されているが両方とも狭帯域伝送路で接続されている場合もあり、その他いろいろな場合がある。
【００１７】
してみると、ＬＡＮ３ａ，３ｂの中でせっかく優先制御によって音声や動画像のデータを格納したパケットを優先的に中継しているのに、広域ネットワーク１の中では必ずしもそのパケットが広帯域伝送路を伝送されるとは限らず、狭帯域伝送路を伝送されることは避けられない。パケットが狭帯域伝送路を伝送される場合、コアスイッチ内の転送待ちバッファにパケットが蓄積されるために遅延が生じてしまうことがある。
【００１８】
そこで、本発明の目的は、上記課題を解決し、必要帯域の異なるデータが効率よく伝送できるネットワークシステムを提供することにある。
【課題を解決するための手段】
【００１９】
上記目的を達成するために本発明は、広域ネットワーク内のエッジスイッチとＬＡＮ内のスイッチとが伝送路で結ばれることにより広域ネットワークとＬＡＮとが接続され、上記エッジスイッチでは、ＬＡＮから受信したパケットは当該ＬＡＮが属するグループを示すタグ（以下、グループタグという）を付加してそのグループタグ付きパケットを広域ネットワーク内に送信すると共に、広域ネットワーク内から受信したグループタグ付きパケットはグループタグを外してそのパケットを該当するグループに属するＬＡＮに送信し、上記広域ネットワーク内には上記グループタグ付きパケットを中継する複数のコアスイッチが存在するネットワークシステムにおいて、各コアスイッチとコアスイッチの間を広帯域伝送路と狭帯域伝送路とで二重に接続し、上記コアスイッチでは、直接接続されたエッジスイッチから受信したグループタグ付きパケットは当該パケットの必要帯域を示すタグ（以下、帯域タグという）を付加してそのグループタグ及び帯域タグ付きパケットを他のコアスイッチに中継し、他のコアスイッチから受信して直接接続されたエッジスイッチに中継するグループタグ及び帯域タグ付きパケットは帯域タグを外してそのグループタグ付きパケットを当該エッジスイッチに中継し、他のコアスイッチから受信してさらに他のコアスイッチに中継するグループタグ及び帯域タグ付きパケットを中継する伝送路をその帯域タグが示す必要帯域に応じて広帯域伝送路か狭帯域伝送路に振り分けるようにしたものである。
【００２０】
上記コアスイッチは、パケット中のデータ欄に格納されているデータを参照して必要帯域を判定してもよい。
【００２１】
上記必要帯域は、パケット中のデータ欄に格納されているデータが音声、動画像等のリアルタイム性を必要とするデータを含むとき、広帯域と判定してもよい。
【発明の効果】
【００２２】
本発明は次の如き優れた効果を発揮する。
【００２３】
（１）必要帯域の異なるデータが効率よく伝送できる。
【発明を実施するための最良の形態】
【００２４】
以下、本発明の一実施形態を添付図面に基づいて詳述する。
【００２５】
図１に示されるように、本発明に係るネットワークシステムでは、コアスイッチ６ａとコアスイッチ６ｂの間を広帯域伝送路７と狭帯域伝送路８とで二重に接続してある。他のネットワーク構成は図６と同じでよく符号も同じにしてあるので説明を省く。図では、広域ネットワーク１の入口となるエッジスイッチ２ａから出口となるエッジスイッチ２ｂまでの間に、コアスイッチがコアスイッチ６ａ，６ｂの２つしかないが、実際にはコアスイッチがいくつあってもよく、例えば、図４のように、どのコアスイッチとコアスイッチの間も広帯域伝送路と狭帯域伝送路とで二重に接続する。あるいは、図５に示されるように、広帯域伝送路と狭帯域伝送路とをそれぞれ異なるコアスイッチを介することで二重に接続する。
【００２６】
図１中、伝送路５，７，８に添えて示したフレーム中のＡ，１，２が書かれた升目はタグを表し、矢印は伝送方向を表す。そして、タグ中のＡは、企業Ａのグループを識別するグループタグ情報、１は、必要帯域が広帯域であることを示す帯域タグ情報、２は、必要帯域が狭帯域であることを示す帯域タグ情報を表している。
【００２７】
本発明にあっては、コアスイッチ６ａでは、直接接続されたエッジスイッチ２ａから受信したグループタグ付きパケットに当該パケットの必要帯域を示す帯域タグを付加してそのグループタグ及び帯域タグ付きパケットを他のコアスイッチ６ｂに中継し、コアスイッチ６ｂでは、他のコアスイッチ６ａから受信して直接接続されたエッジスイッチ２ｂに中継するグループタグ及び帯域タグ付きパケットは帯域タグを外したグループタグ付きパケットを当該エッジスイッチ２ｂに中継する。
【００２８】
さらに、本発明にあっては、図４のようなコアスイッチ６ｉ〜６ｋでは、他のコアスイッチから受信してさらに他のコアスイッチに中継するグループタグ及び帯域タグ付きパケットを中継する伝送路をその帯域タグが示す必要帯域に応じて広帯域伝送路７か狭帯域伝送路８に振り分けるようにしてある。また、図５のようなネットワーク構成にした場合、コアスイッチ６ａで広帯域と挟帯域に振り分けられたデータは、それぞれ別のコアスイッチ（広帯域はコアスイッチ６ｌ，６ｎ，６ｍ、挟帯域はコアスイッチ６ｘ，６ｙ，６ｚ）によって中継される。このネットワーク構成の利点は、広帯域と挟帯域で別々のコアスイッチを用いることができることであり、例えば、広帯域伝送路７には広帯域に特化したコアスイッチ６ｌ，６ｎ，６ｍを用い、狭帯域伝送路８にはコストが安価なコアスイッチ６ｘ，６ｙ，６ｚを用いることが可能である。
【００２９】
帯域タグは、普通の伝送装置にとっては通常のタグであるため、図５のネットワーク構成の場合、コアスイッチ６ｌ，６ｎ，６ｍ，６ｘ，６ｙ，６ｚは、それぞれ従来からあるコアスイッチで構成することが可能である。
【００３０】
各種スイッチの他の機能は従来と同じでよいので説明を省く。
【００３１】
本発明に用いるコアスイッチの内部構造を図２に示す。
【００３２】
このコアスイッチは、少なくとも１つの入力ポート２１と２つの出力ポート２２，２３を有し、出力ポートの一方は広帯域ポート２２、他方は狭帯域ポート２３である。広帯域ポート２２に広帯域伝送路が接続され、狭帯域ポート２３に狭帯域伝送路が接続されることは言うまでもない。広帯域伝送路の一例としてここでは１０Ｇｂｐｓの伝送路、狭帯域伝送路の一例としてここでは１Ｇｂｐｓの伝送路があるものとする。また、このコアスイッチの入力ポート２１は、エッジスイッチに直接接続されたポートであり、広帯域ポート２２と狭帯域ポート２３は、他のコアスイッチに接続されたポートである。
【００３３】
なお、図２は図１のコアスイッチ６ａを実現するための最低限の構成を示しているのであり、実際には、ポートは多数有り、全てのポート２１，２２，２３，…が入出力ポートである。
【００３４】
このコアスイッチは、入力ポート２１で受信したパケットの優先度を調査し、優先度に見合った帯域タグをパケットに挿入すると共に広帯域ポート２２または狭帯域ポート２３で受信したパケットから帯域タグを外す帯域タグ制御回路２４と、パケットの優先度と帯域タグ番号とを関係付けるためのテーブル２５と、帯域タグ番号に従って、出力ポート（広帯域ポート２２または狭帯域ポート２３）を切り替えるための切り替え回路２６とを備える。
【００３５】
このコアスイッチは、帯域タグ制御回路２４及びテーブル２５の働きにより、エッジスイッチから受信したグループタグ付きパケット３１（図３参照）のデータ３２の任意の場所をテーブル３３にて参照し、付加すべき帯域タグ番号を決める。このテーブル３３にある帯域タグ番号で帯域タグを作成し、コアスイッチからコアスイッチ出力パケット３４を出力するときは、この帯域タグを送信元アドレスＳＡとグループタグ欄の間に挿入する。
【００３６】
切り替え回路２６は、帯域タグ制御回路２４から出力されたパケットの帯域タグ部分を参照し、帯域タグ番号が広帯域を意味していたらパケットを広帯域ポート２２に出力し、帯域タグ番号が広帯域以外を意味していたらパケットを狭帯域ポート２３に出力する。
【００３７】
また、広帯域ポート２２または狭帯域ポート２３で受信したパケットは、切り替え回路２６を通らず、帯域タグ制御回路２４で帯域タグを外され、入力ポート２１に転送される。
【００３８】
本発明におけるパケットの構造を図３に示す。
【００３９】
コアスイッチは、エッジスイッチから受信したグループタグ付きパケット３１のデータ３２の任意の場所をテーブル３３にて参照し、付加すべき帯域タグ番号を決める。このテーブル３３は、データ３２の任意の場所より帯域タグを参照するテーブルである。このテーブル３３にある帯域タグ番号で帯域タグを作成し、コアスイッチからコアスイッチ出力パケット３４を出力するときは、この帯域タグを送信元アドレスＳＡとグループタグ欄の間に挿入する。なお、帯域タグは通常のコアスイッチでもタグとして認識できるようにするため、ユーザが任意の値を設定できるようにする。
【００４０】
なお、イーサネットではパケットにタグを付加することを許容しており、このためにイーサネットに対応したスイッチでは、タグに応じてパケットの中継先を選択したり、パケットにタグを付加したり外したりする機能が備わっている。従って、この機能を利用して前述のグループタグや優先度タグをパケットに付加したり外したり、あるいはグループ別中継制御や優先制御をすることができる。本発明においてもコアスイッチで帯域タグを付加したり外したり、伝送路振り分け制御をするのに、この機能を利用する。
【００４１】
図１〜図３を参照しつつ本発明のネットワークシステムの動作を説明する。
【００４２】
いま、企業Ａの一方のＬＡＮ３ａ内の端末９から他方のＬＡＮ３ｂ内の端末９へ宛ててパケットが送信されたものとする。このパケットはＬＡＮ３ａ内のスイッチ４ａから広域ネットワーク１内のエッジスイッチ２ａへ中継され、そのエッジスイッチ２ａからコアスイッチ６ａへ中継され、そのコアスイッチ６ａから他のコアスイッチ６ｂへ中継され、そのコアスイッチ６ｂからエッジスイッチ２ｂへ中継され、そのエッジスイッチ２ｂからＬＡＮ３ｂ内のスイッチ４ｂへ中継され、そのスイッチ４ｂから端末９へ中継される。
【００４３】
このパケットが音声や動画像等のリアルタイム性を必要とするデータを含んだパケットだったとする。この場合、ＬＡＮ３ａ内のスイッチ４ａでは、従来通り、このパケットに優先度タグ（図示せず）を付加する。この優先度タグは、受信側のＬＡＮ３ｂにおいてスイッチ４ｂが優先制御を行うためのものである。
【００４４】
エッジスイッチ２ａでは、従来通り、このパケットにグループタグ（図１ではフレーム中に示したＡがこれに相当する）を付加する。従って、エッジスイッチ２ａに直接接続されたコアスイッチ６ａには、グループタグと優先度タグが付加されたパケットが到着することになる。
【００４５】
このコアスイッチ６ａでは、グループタグ及び優先度タグについては、従来通り何もしないが、本発明の動作として、パケット中のデータ欄に格納されているデータを参照して必要帯域を判定し、パケットに帯域タグを付加する。
【００４６】
また、この実施形態では、このコアスイッチ６ａにおいてもパケットを中継する伝送路を振り分ける。
【００４７】
コアスイッチ６ａは、必要帯域を判定するために、イーサネットプロトコルのデータ３２中にある別プロトコルのヘッダ又はデータ３２の任意の場所を参照する。これにより、このパケットが音声や動画像等のリアルタイム性を必要とするデータを含んだパケットであると分かるので、必要帯域は広帯域であると判定される。そこで、コアスイッチ６ａは、必要帯域は広帯域であるという意味の帯域タグ（図１ではフレーム中に示した１がこれに相当する）を付加する。
【００４８】
帯域タグは、後段のコアスイッチにおいて伝送路振り分け制御を行うためのものである。従って、今このコアスイッチでは、受信したパケットに帯域タグがないので、データから判定した必要帯域に基づいて伝送路振り分け制御を行う。
【００４９】
これにより、図２に示されるように、パケットは帯域タグを付加され、広帯域ポート２２に転送される。広帯域ポート２２から送信されたパケットは、図１に示されるように、出口となるエッジスイッチ２ｂに直接接続されたコアスイッチ６ｂの広帯域ポートに到着する。
【００５０】
このコアスイッチ６ｂでは、パケットから帯域タグを取り外す。従って、エッジスイッチ２ｂに到着したパケットには帯域タグは付いていない。グループタグと優先度タグは保存されていることは言うまでもない。エッジスイッチ２ｂ以降のタグ処理は従来と同じである。
【００５１】
次に、パケットが音声や動画像等のリアルタイム性を必要とするデータを含まないパケットだったとする。この場合、ＬＡＮ内のスイッチでは、従来通り、このパケットに優先度タグを付加しない。
【００５２】
エッジスイッチ２ａでは、従来通り、このパケットにグループタグを付加する。従って、エッジスイッチ２ａに直接接続されたコアスイッチ６ａには、グループタグが付加されたパケットが到着することになる。
【００５３】
この場合もコアスイッチ６ａは、必要帯域を判定するために、イーサネットプロトコルのデータ３２中にある別プロトコルのヘッダ又はデータ３２の任意の場所を参照する。これにより、このパケットが音声や動画像等のリアルタイム性を必要とするデータを含まないパケットであると分かるので、必要帯域は狭帯域であると判定される。そこで、コアスイッチ６ａは、必要帯域は狭帯域であるという意味の帯域タグ（図１ではフレーム中に示した２がこれに相当する）を付加する。あるいは図２のようにパケットに帯域タグを付加しないという方法もある。その場合、後段では帯域タグの有無でもって帯域が識別できる。
【００５４】
また、コアスイッチ６ａは、データから判定した必要帯域に基づいて伝送路振り分け制御を行う。
【００５５】
これにより、図２に示されるように、パケットは帯域タグを付加されず、狭帯域ポートに転送される。あるいは図１のように必要帯域は狭帯域であるという意味の帯域タグが付加されて狭帯域ポートに転送される。狭帯域ポートから送信されたパケットは、図１に示されるように、出口となるエッジスイッチ２ｂに直接接続されたコアスイッチ６ｂの狭帯域ポートに到着する。
【００５６】
このコアスイッチ６ｂでは、パケットに帯域タグが付いていないのでタグ処理はしない。あるいは必要帯域は狭帯域であるという意味の帯域タグが付いていればこれを取り外す。従って、エッジスイッチ２ｂに到着したパケットには帯域タグは付いていない。グループタグと優先度タグは保存されていることは言うまでもない。エッジスイッチ２ｂ以降のタグ処理は従来と同じである。
【００５７】
図４には、広域ネットワーク１中の伝送経路に３個以上のコアスイッチが存在する形態を示した。コアスイッチ６ａは、図１に示したのと同様にエッジスイッチ２ａに直接接続されたものであり、図２に示した内部構造を有している。コアスイッチ６ｂは、図１に示したのと同様にエッジスイッチ２ｂに直接接続されたものであり、図２に示した内部構造とは逆に、広帯域と狭帯域の入力ポートがあり、エッジスイッチ２ｂに繋がる出力ポートは一つである。コアスイッチ６ｉ，６ｋ，６ｊは、エッジスイッチには直接接続されない途中のコアスイッチである。
【００５８】
いずれのコアスイッチ６ａ，６ｂ，６ｉ〜６ｋも内部構造及び機能は同一であり、エッジスイッチや他のコアスイッチとの接続関係に応じて本発明の帯域タグに関する処理動作が違うようになっている。
【００５９】
なお、コアスイッチがエッジスイッチに直接接続されているかどうかは、ポートごとに生じる事象である。つまり、図４はエッジスイッチ２ａ，２ｂ間の経路のみに着目した図であるので、例えば、コアスイッチ６ｉは他のコアスイッチに接続されたポートしか存在しないので、全てのポートに関して途中のコアスイッチであることになる。しかし、コアスイッチ６ｉの図示しないポートが図示しないエッジスイッチに直接接続されていれば、そのポートに関してはエッジスイッチに直接接続されたコアスイッチであることになる。
【００６０】
この形態にあっても、既に説明したように、コアスイッチ６ａからコアスイッチ６ｂまで中継されるパケットにはコアスイッチ６ａにて帯域タグが付加されているので、各コアスイッチ６ｉ，６ｋ，６ｊは、その帯域タグが示す必要帯域に応じてパケットを中継する伝送路を広帯域伝送路７か狭帯域伝送路８に振り分ける。従って、音声や動画像等のリアルタイム性を必要とするデータを含んだパケットは継続して広帯域伝送路７を伝送される。
【００６１】
一方、リアルタイム性を必要とするデータを含まないパケットは継続して狭帯域伝送路８を伝送される。パケットが狭帯域伝送路８を伝送される場合、コアスイッチ内の転送待ちバッファにパケットが蓄積されるために遅延が生じてしまう確率が高く、広帯域伝送路７を伝送される場合に遅延が生じる確率は低いので、広域ネットワーク１の入口から出口までパケットが中継される間の遅延には大きな差が出る。従って、企業内ネットワークにおける音声や動画像のデータの伝送が従来に比べて遅滞なく行えることになる。
【図面の簡単な説明】
【００６２】
【図１】本発明の一実施形態を示すネットワークシステム構成図である。
【図２】本発明に用いるコアスイッチのうち入口側エッジスイッチに直接接続されたコアスイッチの内部構成図である。
【図３】パケットのフォーマットを示す図である。
【図４】本発明の一実施形態を示す広域ネットワークのネットワーク構成図である。
【図５】本発明の一実施形態を示す広域ネットワークのネットワーク構成図である。
【図６】従来のネットワークシステム構成図である。
【符号の説明】
【００６３】
１  広域ネットワーク
２ａ，２ｂ  エッジスイッチ
３ａ，３ｂ  ＬＡＮ
４ａ，４ｂ  スイッチ
５  伝送路
６ａ，６ｂ，６ｉ〜６ｋ  コアスイッチ
７  広帯域伝送路
８  狭帯域伝送路
９  端末
【図１】
2008054101.tif 000003
【図２】
2008054101.tif 000004
【図３】
2008054101.tif 000005
【図４】
2008054101.tif 000006
【図５】
2008054101.tif 000007
【図６】
2008054101.tif 000008